(57)【特許請求の範囲】
【請求項１】
空気が吸込まれる吸込み部、該吸込み部から吸い込まれた空気が吹出される吹出し部、および、該吸込み部と該吹出し部との各々に連通した中空部を規定するケースと、
前記中空部の内部に配置され、前記空気を送風するファンと、
前記ケースに取り付けられ、前記ファンを駆動するモータと、
前記吸込み部に配置され、前記吸込み部から吸い込まれる空気を浄化するフィルタとを備え、
前記モータが、モータ本体部と該モータ本体部から突出した回転軸部とから構成され、
前記ケースは、前記吸込み部と前記中空部との境界において前記ファンの回転軸方向と交差する方向に延在する隔壁を有し、
前記隔壁は、前記吸込み部と前記中空部とを連通させる開口部、および、前記モータが取り付けられた被取付部を有し、
前記被取付部は、固定部および該固定部の外側にて前記ファンと対向している対向部を含み、
前記固定部は、前記モータ本体部における回転軸部側の一部を収容し、
前記対向部は、前記モータ本体部より広い幅を有しつつ前記固定部の縁から前記ファンの外周部と対向する位置に達するように延在して風を遮り、前記中空部への空気の流入を阻害し、
前記フィルタは、前記モータの外周の外側に位置している、空気清浄機。
【請求項２】
前記被取付部が、前記ファンの外周部と対向する位置から、該外周部とは反対側の外周部と対向する位置に達するように延在している、請求項１に記載の空気清浄機。
【請求項３】
前記モータを挟んで両側に前記フィルタが配置され、
前記隔壁において、前記被取付部を挟んで両側に前記開口部が設けられている、請求項２に記載の空気清浄機。
【請求項４】
前記ファンの回転軸方向の奥行の寸法は、前記回転軸部の軸方向における前記モータ本体部の奥行の寸法より小さい、請求項１から請求項３のいずれか１項に記載の空気清浄機。
【請求項５】
前記吹出し部の末端に位置する吹出し口は、前記ケースの幅方向の一方側に偏って位置し、
前記ケースの奥行方向における前記吹出し口の奥行の寸法は、前記回転軸部の軸方向における前記モータ本体部の奥行の寸法より小さい、請求項４に記載の空気清浄機。
【発明の詳細な説明】
【技術分野】
【０００１】
本発明は、空気清浄機に関する。
【背景技術】
【０００２】
空気清浄機の構造を開示した先行文献として、特開２０００−３２５４４６号公報(特許文献１)、特開２０１３−４０７５０号公報(特許文献２)および特開２００４−３６１０５１号公報(特許文献３)がある。
【０００３】
特許文献１に記載された空気清浄機においては、本体の吸気口側から、フィルタ、モータおよびファンが順次に並び、ファンによって吸気口から吸引した室内空気をフィルタに通して清浄化した後、本体の排気口から排気して室内に戻している。モータおよびファン共に、それぞれ単独の軸線方向領域を持って設けられている。また、モータの設置領域を利用してファンの回転軸方向の寸法を大きくし、必要な風量を確保している。
【０００４】
上記の従来の構造では、フィルタ、モータおよびファンが軸線方向に並ぶために奥行きが大きくなり、本体の体積が大きくなる。この場合、空気清浄機は、部屋のどの位置に設置されても邪魔になり、不体裁である。このような不体裁の空気清浄機が設置された部屋は、美観が損なわれる。大型の空気清浄機は、卓上に置かれると、不安定に見えて使用者が不安を感じるため、室内における設置場所が床上に限定される。近年、マンション住まいの家庭が増え、小空間での空気清浄機の利用が増加しており、大型の空気清浄機が床上に設置された場合、利用可能な室内の床上面積が減少するとともに、利用者が圧迫感を感じる。
【０００５】
また、昨今ＰＭ(particulate matter)２．５の問題が深刻化しており、空気清浄機には、室内の空気を循環させる能力を高めて吸塵スピードを上げることが求められている。従来の空気清浄機においては、圧力損失の低減の観点から、ファンの回転軸方向の奥行の寸法と、ケース内の送風経路の奥行の寸法と、ケースに設けられた排気口の奥行の寸法とが、略同等に設定されている。従来の空気清浄機において、上記のようにファンの回転軸方向の寸法を大きくした場合、排気口の奥行の寸法が大きくなり、ひいては排気口の開口面積が大きくなって、排気口から吹出される風の速度が低下する。その結果、排気口から吹出された風の到達距離が短くなり、室内の空気を循環させる能力が低下して吸塵スピードを十分に上げることができない。
【０００６】
特許文献２に記載された空気清浄機においては、清浄空気吹出部の風路空間にフィルタを傾斜させて配置することにより、外観上薄型にされている。この構造の場合、浄化されていない空気、すなわち塵埃が含まれた空気がファンに直接触れるため、ファンに塵埃が付着しやすい。
【０００７】
特許文献３に記載された空気清浄機においては、ファンにより本体内に吸引した室内の空気を清浄化部に通して清浄化した後、室内に戻している。ファンは、それを駆動するモータの側を本体の吸気口を持った前壁側にして配置されている。モータのまわりに清浄化部が設けられている。清浄化部は、吸気口とファンとの間に位置している。
【先行技術文献】
【特許文献】
【０００８】
【特許文献１】特開２０００−３２５４４６号公報
【特許文献２】特開２０１３−４０７５０号公報
【特許文献３】特開２００４−３６１０５１号公報
【発明の概要】
【発明が解決しようとする課題】
【０００９】
特許文献３に記載された空気清浄機においては、モータのまわりに清浄化部を設けることにより薄型化されているが、外形において高さの寸法および幅の寸法を小さくして小型化を図れる余地がある。
【００１０】
本発明は上記の問題点に鑑みてなされたものであって、薄型かつ小型の空気清浄機を提供することを目的とする。
【課題を解決するための手段】
【００１１】
本発明に基づく空気清浄機は、空気が吸込まれる吸込み部、吸込み部から吸い込まれた空気が吹出される吹出し部、および、吸込み部と吹出し部との各々に連通した中空部を規定するケースと、中空部の内部に配置され、上記空気を送風するファンと、ケースに取り付けられ、ファンを駆動するモータと、吸込み部に配置され、吸込み部から吸い込まれる空気を浄化するフィルタとを備える。ケースは、吸込み部と中空部との境界においてファンの回転軸方向と交差する方向に延在する隔壁を有する。隔壁は、吸込み部と中空部とを連通させる開口部、および、モータが取り付けられた被取付部を有する。被取付部は、ファンの回転軸側からファンの外周部と対向する位置に達するように延在して風を遮り、中空部への空気の流入を阻害する。フィルタは、モータの外周の外側に位置している。
【００１２】
本発明の一形態においては、ケースの外形寸法において、奥行の寸法が、幅の寸法および高さの寸法の少なくとも一方の１／４以下である。
【００１３】
本発明の一形態においては、被取付部が、ファンの外周部と対向する位置から、この外周部とは反対側の外周部と対向する位置に達するように延在している。
【００１４】
本発明の一形態においては、モータを挟んで両側にフィルタが配置されている。隔壁において、被取付部を挟んで両側に開口部が設けられている。
【００１５】
本発明の一形態においては、モータが、モータ本体部とモータ本体部から突出した回転軸部とから構成されている。ファンの回転軸方向の奥行の寸法は、回転軸部の軸方向におけるモータ本体部の奥行の寸法より小さい。
【００１６】
本発明の一形態においては、ファンの回転軸方向の奥行の寸法とフィルタの厚さの寸法との合計値は、回転軸部の軸方向におけるモータの奥行の寸法より小さい。
【００１７】
本発明の一形態においては、吹出し部の末端に位置する吹出し口は、ケースの幅方向の一方側に偏って位置している。ケースの奥行方向における吹出し口の奥行の寸法は、回転軸部の軸方向におけるモータ本体部の奥行の寸法より小さい。
【００１８】
本発明の一形態においては、空気清浄機は、モータの駆動を制御する制御部をさらに備える。被取付部が、隔壁における被取付部以外の部分に対して着脱自在に設けられている。制御部は、被取付部に取り付けられている。
【００１９】
本発明の一形態においては、ケースの少なくとも一部が、透明な部材で構成されている。
【００２０】
本発明の一形態においては、空気清浄機は、吹出し部から吹出される空気の風向を調整するノズルをさらに備える。ノズルはケースに着脱自在に設けられている。
【発明の効果】
【００２１】
本発明によれば、空気清浄機を薄型かつ小型にすることができる。
【図面の簡単な説明】
【００２２】
【図１】本発明の実施形態１に係る空気清浄機を前方側から見た外観を示す斜視図である。
【図２】本発明の実施形態１に係る空気清浄機の斜視図であって、図１の矢印ＩＩ方向から見た図である。
【図３】本発明の実施形態１に係る空気清浄機の背面図であって、図１の矢印ＩＩＩ方向から見た図である。
【図４】本発明の実施形態１に係る空気清浄機の断面図であって、図１のＩＶ−ＩＶ線矢印方向から見た図である。
【図５】本発明の実施形態１に係る空気清浄機から後述するフロントカバーを取り外した状態の正面図である。
【図６】本発明の実施形態１に係る空気清浄機の後述するケース本体の正面図である。
【図７】本発明の実施形態１に係る空気清浄機の後述するケース本体の背面図である。
【図８】本発明の実施形態１に係る空気清浄機の後述する、ファン、モータおよびフィルタの寸法および配置を示す断面図である。
【図９】本発明の実施形態２に係る空気清浄機の背面図である。
【図１０】本発明の実施形態３に係る空気清浄機を前方側から見た外観を示す斜視図である。
【図１１】本発明の実施形態４に係る空気清浄機を前方側から見た外観を示す斜視図である。
【図１２】本発明の実施形態５に係る空気清浄機の断面図である。
【図１３】本発明の実施形態５に係る空気清浄機の背面図であり、図１２の矢印ＸＩＩＩ方向から見た図である。
【発明を実施するための形態】
【００２３】
以下、本発明の各実施形態に係る空気清浄機について図を参照して説明する。以下の説明においては、図中の同一または相当部分には同一符号を付して、その説明は繰り返さない。
【００２４】
(実施形態１)
図１は、本発明の実施形態１に係る空気清浄機を前方側から見た外観を示す斜視図である。図２は、本発明の実施形態１に係る空気清浄機の斜視図であって、図１の矢印ＩＩ方向から見た図である。図３は、本発明の実施形態１に係る空気清浄機の背面図であって、図１の矢印ＩＩＩ方向から見た図である。図４は、本発明の実施形態１に係る空気清浄機の断面図であって、図１のＩＶ−ＩＶ線矢印方向から見た図である。
【００２５】
図５は、本発明の実施形態１に係る空気清浄機から後述するフロントカバーを取り外した状態の正面図である。図６は、本発明の実施形態１に係る空気清浄機の後述するケース本体の正面図である。図７は、本発明の実施形態１に係る空気清浄機の後述するケース本体の背面図である。図８は、本発明の実施形態１に係る空気清浄機の後述する、ファン、モータおよびフィルタの寸法および配置を示す断面図である。
【００２６】
図１〜８に示すように、本発明の実施形態１に係る空気清浄機１００は、略直方体状の外形を有するケース１１０と、ファン１２０と、モータ１３０と、フィルタ１４０とを備える。
【００２７】
ケース１１０は、ケース本体１１１と、ケース本体１１１に着脱自在に組み付けられるフロントカバー１１２とから構成されている。ケース本体１１１およびフロントカバー１１２の各々は、エポキシ樹脂などの樹脂の射出成型により形成され、正面視にて同等の矩形状の外形を有している。なお、ケース１１０の少なくとも一部が、金属で形成されていてもよい。
【００２８】
図１，２においては、ケース１１０の外形にて、幅方向をＸ方向、高さ方向をＹ方向、奥行き方向をＺ方向として図示している。本実施形態に係る空気清浄機１００においては、ケース１１０の外形寸法において、奥行の寸法Ｗが、幅の寸法Ｈの１／４以下、かつ、高さの寸法Ｔの１／４以下である。ただし、ケース１１０の外形寸法は上記に限られず、奥行の寸法Ｗが、幅の寸法Ｈおよび高さの寸法Ｔの少なくとも一方の１／４以下であることが、空気清浄機１００の薄型化およびデザイン性の観点から好ましい。
【００２９】
ケース１１０は、空気が吸込まれる吸込み部１１３、吸込み部１１３から吸い込まれた空気が吹出される吹出し部１１４、および、吸込み部１１３と吹出し部１１４との各々に連通した中空部１１５を規定している。吸込み部１１３は、ケース１１０の背面側に位置している。吹出し部１１４は、ケース１１０の正面側の上部に位置している。中空部１１５は、ケース１１０の内部において吹出し部１１４より下方に位置している。
【００３０】
ケース１１０は、吸込み部１１３と中空部１１５との境界においてファン１２０の回転軸方向と交差する方向に延在する隔壁１１６を有する。ファン１２０の回転軸方向は、Ｚ方向と略平行である。隔壁１１６は、Ｚ方向に略直交するように延在している。隔壁１１６は、吸込み部１１３と中空部１１５とを連通させる開口部１１７、および、モータ１３０が取り付けられた被取付部１１８を有する。
【００３１】
具体的には、ケース本体１１１が隔壁１１６を有している。隔壁１１６から、ケース１１０の背面側に向けてリブ１１１ｓが突出している。隔壁１１６から、ケース１１０の正面側に向けてリブ１１１ｔが突出している。
【００３２】
リブ１１１ｓは、背面視にて、３つの矩形がＹ方向に並んだ格子形状を有している。この３つの矩形のうちの上部に位置する矩形に囲まれた領域と、下部に位置する矩形に囲まれた領域とが、吸込み部１１３となる。３つの矩形のうちの中央に位置する矩形に囲まれた領域には、後述するモータ本体部１３１が配置される。吸込み部１１３を規定するリブ１１１ｓの根元には、吸込み部１１３の内側に突出した段部１１１ｓｄが設けられている。なお、図２においては、ケース本体１１１の強度を確保するために、３つの矩形の周りに設けられた格子状のリブ１１１ｓが図示されているが、図３，７においては、この部分のリブ１１１ｓは図示されていない。
【００３３】
隔壁１１６において、吸込み部１１３と接する部分に、背面視にて弓形の開口部１１７が設けられている。具体的には、開口部１１７は、被取付部１１８と接しているリブ１１１ｓに沿った直線部と、この直線部と交差する円弧部とに囲まれた弓形の形状を有する。ただし、開口部１１７の形状は、上記に限られず、円形、楕円形または矩形などの多角形でもよい。
【００３４】
被取付部１１８は、ファン１２０の回転軸側からファン１２０の外周部と対向する位置に達するように延在している。本実施形態に係る空気清浄機１００においては、被取付部１１８が、ファン１２０の外周部と対向する位置から、この外周部とは反対側の外周部と対向する位置に達するように延在している。
【００３５】
すなわち、被取付部１１８は、ファン１２０の回転軸と直交する直線に沿って、ファン１２０の一端から他端に亘る部分を覆うように延在している。このように、隔壁１１６において、被取付部１１８を挟んで両側に開口部１１７が設けられている。ただし、被取付部１１８の延在範囲は上記に限られず、ファン１２０の回転軸側からファン１２０の一端に亘る部分を少なくとも覆うように延在していればよい。
【００３６】
被取付部１１８において、モータ１３０が固定される固定部１１８ｃは、ケース１１０の正面側に突出しており、モータ本体部１３１における回転軸部１３２側の一部を収容する空間が形成されている。被取付部１１８において、固定部１１８ｃの外側にてファン１２０と対向している部分は、ケース１１０の背面側に僅かに突出して厚くなっている。
【００３７】
固定部１１８ｃには、後述するモータ１３０の回転軸部１３２を挿通するための貫通孔１１８ａが設けられている。固定部１１８ｃには、モータ１３０をボルト１５０にて締結するための貫通孔１１８ｂが、貫通孔１１８ａを中心とした円弧上に複数設けられている。
【００３８】
リブ１１１ｔは、正面視にてファン１２０の外周に沿うように略円弧状に延びて中空部１１５を規定する主部と、主部の両端に繋がって主部から離れるに従って互いの間隔が徐々に広がるように延びて吹出し部１１４を規定する末部とを有している。吹出し部１１４の末端に、吹出し口１１９が位置している。
【００３９】
フロントカバー１１２は、周壁の一部に、Ｕ字状の切欠部を有する。具体的には、リブ１１１ｔの末部における主部側とは反対側の端部が露出するように、切欠部が設けられている。
【００４０】
リブ１１１ｔの末部における主部側とは反対側の端部と、隔壁１１６におけるケース本体１１１の上端に位置する部分と、フロントカバー１１２の切欠部とによって、吹出し口１１９が構成されている。本実施形態に係る空気清浄機１００においては、吹出し口１１９は、Ｘ方向の一方側に偏って位置している。Ｚ方向における吹出し口１１９の奥行の寸法をＷ119とする。
【００４１】
ファン１２０は、中空部１１５の内部に配置されている。本実施形態に係る空気清浄機１００においては、ファン１２０は、多翼遠心送風機(シロッコファン)であり、モータ１３０の回転軸部１３２に固定されている。
【００４２】
ファン１２０は、円板部１２１と、円板部１２１の外周部から突出するように設けられた多翼部１２２とを有する。円板部１２１には、回転軸部１３２と係合する貫通孔１２３が設けられている。円板部１２１には、ファン１２０の奥行方向に貫通した騒音低下を目的とする貫通孔１２４が、貫通孔１２３を中心とした円弧上に複数設けられている。図８に示すように、ファン１２０の回転軸方向の奥行の寸法をＷ120とする。
【００４３】
モータ１３０は、ケース１１０に取り付けられている。本実施形態に係る空気清浄機１００においては、モータ１３０は、モータ本体部１３１とモータ本体部１３１から突出した回転軸部１３２とから構成されている。
【００４４】
モータ本体部１３１の回転軸部１３２側には、フランジが設けられている。フランジには、固定部１１８ｃの複数の貫通孔１１８ｂに対応する位置に、複数の貫通孔１３１ａが設けられている。対応する貫通孔１３１ａおよび貫通孔１１８ｂに挿入されたボルト１５０と図示しないナットとが締結されることにより、モータ１３０が固定部１１８ｃに固定される。なお、ボルト１５０は、図３にのみ図示されている。
【００４５】
モータ本体部１３１の回転軸部１３２側の端部には、フランジから縮径して突出し、回転軸部１３２の根元側を保持するボスが設けられている。ボスは、固定部１１８ｃの貫通孔１１８ｂに対して間隔を置いて挿入されている。
【００４６】
図８に示すように、回転軸部１３２の軸方向におけるモータ本体部１３１の奥行の寸法をＷ131とし、回転軸部１３２の奥行の寸法をＷ132とする。回転軸部１３２の軸方向におけるモータ１３０の奥行の寸法をＷ130とすると、Ｗ130＝Ｗ131＋Ｗ132となる。
【００４７】
フィルタ１４０は、吸込み部１１３に配置されている。フィルタ１４０は、直方体状の外形を有し、吸込み部１１３を規定するリブ１１１ｓにより矩形に囲まれた領域に嵌め込まれている。フィルタ１４０は、段部１１１ｓｄと接触するまで吸込み部１１３の内部に挿入されている。この状態において、ケース１１０の背面と、フィルタ１４０の露出面とは、略同一平面上に位置している。
【００４８】
フィルタ１４０は、モータ１３０の外周の外側に位置している。本実施形態に係る空気清浄機１００においては、モータ１３０を挟んで両側にフィルタ１４０が配置されている。ただし、フィルタ１４０の配置は、上記に限られず、開口部１１７を覆うように吸込み部１１３に配置されていればよい。図８に示すように、フィルタ１４０の厚さの寸法をＷ140とする。
【００４９】
以下、本実施形態に係る空気清浄機１００の動作について説明する。
モータ１３０がファン１２０を駆動して回転させることにより、空気が送風される。具体的には、吸込み部１１３から外部の空気が吸い込まれる。吸込み部１１３から吸い込まれる空気は、フィルタ１４０を通過する際に浄化される。浄化された空気は、開口部１１７を通過して中空部１１５内に流入する。中空部１１５に流入した空気は、リブ１１１ｔの主部に沿って流動して吹出し部１１４に流入する。吹出し部１１４に流入した空気は、吹出し口１１９から外部に吹出される。
【００５０】
上記のように、吸込み部１１３から塵埃を含む空気を吸込み、吹出し口１１９から浄化された空気を送風して、外部の空気が空気清浄機１００の内部を順次通過するように空気を循環させることにより、空気清浄機１００が設置された室内の空気を清浄にすることができる。
【００５１】
本実施形態に係る空気清浄機１００においては、被取付部１１８が、ファン１２０の回転軸側からファン１２０の外周部と対向する位置に達するように延在して風を遮り、中空部１１５への空気の流入を阻害する。
【００５２】
従来の空気清浄機においては、モータが取り付けられる被取付部がファンの中心軸の近傍にのみ設けられており、被取付部の外側の全周に亘って開口部が設けられていた。そのため、被取付部にモータ以外の部品を取り付けることができなかった。
【００５３】
本実施形態に係る空気清浄機１００においては、被取付部１１８により、ファン１２０と対向する位置にて、モータ１３０の回転軸部１３２の軸方向に風が通らない空間を作ることができる。この空間に、モータ１３０以外の他の部品を配置することにより、ケース１１０内における部品の収納スペースを削減して、ケース１１０の外形を小さくすることができる。ひいては、空気清浄機１００を小型にすることができる。
【００５４】
また、被取付部１１８が、ファン１２０の回転軸側からファン１２０の外周部と対向する位置に達するように延在していることにより、ケース本体１１１における被取付部１１８の剛性を増すことができる。その結果、モータ１３０の取り付けの安定性を確保することができるとともに、モータ１３０が発する振動がケース本体１１１を伝播しにくくすることができる。これにより、空気清浄機１００の静音性を向上することができる。
【００５５】
本実施形態に係る空気清浄機１００のように、被取付部１１８が、ファン１２０の外周部と対向する位置から、この外周部とは反対側の外周部と対向する位置に達するように延在している場合、ケース本体１１１における被取付部１１８の剛性をさらに増すことができる。よって、モータ１３０の取り付けの安定性、および、空気清浄機１００の静音性をさらに向上することができる。
【００５６】
なお、被取付部１１８によって中空部１１５への空気の流入を阻害することにより吹出し口１１９から吹出される風量が減少することを避けるために、ファン１２０の半径を少し大きくしている。吹出し口１１９から吹出される風量は、ファン１２０の半径の２乗に比例して増加するため、ファン１２０の半径を少し大きくすることにより吹出し口１１９から吹出される風量を維持することができる。吹出し口１１９から吹出される風量を維持することにより、空気清浄機１００の空気清浄能力が低下することを抑制できる。
【００５７】
ファン１２０の半径を少し大きくしたことにより中空部１１５の大きさが少し大きくなるが、被取付部１１８がファン１２０の回転軸側からファン１２０の外周部と対向する位置に達するように延在していることによりケース１１０の外形を小さくできる程度の方が大きいため、空気清浄能力を維持しつつ空気清浄機１００を小型にすることができる。
【００５８】
本実施形態に係る空気清浄機１００においては、フィルタ１４０がモータ１３０の外周の外側に位置しているため、ケース１１０は、ファン１２０およびモータ１３０を収容可能な奥行の寸法を有していればよく、外形を薄くすることが可能である。ひいては、空気清浄機１００を薄型にすることができる。
【００５９】
また、ファン１２０がフィルタ１４０に対して風下側に位置しているため、ファン１２０は浄化された空気と接することになり、ファン１２０に塵埃が付着することを抑制できる。
【００６０】
本実施形態に係る空気清浄機１００においては、ファン１２０の回転軸方向の奥行の寸法Ｗ120は、回転軸部１３２の軸方向におけるモータ本体部１３１の奥行の寸法Ｗ131より小さい。すなわち、Ｗ120＜Ｗ131を満たす。これにより、空気清浄機１００を薄型にしてデザイン性を向上できる。
【００６１】
本実施形態に係る空気清浄機１００においては、ファン１２０の回転軸方向の奥行の寸法Ｗ120とフィルタ１４０の厚さの寸法Ｗ140との合計値は、回転軸部１３２の軸方向におけるモータ１３０の奥行の寸法Ｗ130より小さい。すなわち、Ｗ120＋Ｗ140＜Ｗ130を満たす。これにより、空気清浄機１００を薄型にしてデザイン性を向上できる。
【００６２】
本実施形態に係る空気清浄機１００においては、吹出し口は１１９、Ｘ幅方向の一方側に偏って位置し、Ｚ方向における吹出し口１１９の奥行の寸法Ｗ119は、回転軸部１３２の軸方向におけるモータ本体部１３１の奥行の寸法Ｗ131より小さい。すなわち、Ｗ119＜Ｗ131を満たす。これにより、吹出し口は１１９から吹出される空気の風速を上げることができる。その結果、吹出し口は１１９から吹出された風の到達距離を長くして、空気清浄機１００の室内の空気を循環させる能力を高めて吸塵スピードを上げることができる。
【００６３】
以下、本発明の実施形態２に係る空気清浄機２００について説明する。本発明の実施形態２に係る空気清浄機２００は、着脱自在に設けられた被取付部２１８に制御部２６０が取り付けられている点が主に実施形態１に係る空気清浄機１００と異なるため、他の構成については説明を繰り返さない。
【００６４】
(実施形態２)
図９は、本発明の実施形態２に係る空気清浄機の背面図である。図９に示すように、本発明の実施形態２に係る空気清浄機２００は、モータ１３０の駆動を制御する制御部２６０をさらに備えている。制御部２６０は、複数の電装部品にて構成されている。制御部２６０は、被取付部２１８に取り付けられている。すなわち、モータを含む複数の電装部品が被取付部２１８に対して集約されている。
【００６５】
被取付部２１８は、隔壁２１６における被取付部２１８以外の部分に対して着脱自在に設けられている。たとえば、図示しないボルトなどの締結部材により、被取付部２１８が隔壁２１６における被取付部２１８以外の部分に対して着脱自在に接続されている。
【００６６】
上記のように、被取付部２１８には複数の電装部品が集約されており、いわゆる電装ユニットとして構成されている。そのため、被取付部２１８をケース本体１１１から取り外した状態においては、ケース１１０の内部に電装部品は存在していない。
【００６７】
空気清浄機２００を長期間使用した場合、ケース１１０の内部に塵埃などの汚れが堆積することがある。この場合、被取付部２１８をケース本体１１１から取り外して、残りの部分のケース１１０を水洗することにより、ケース１１０内を清浄にすることができる。すなわち、電装部品に水がかかって電装部品が故障することを抑制しつつ、空気清浄機２００の内部を清浄に維持することが可能となる。
【００６８】
以下、本発明の実施形態３に係る空気清浄機３００について説明する。本発明の実施形態３に係る空気清浄機３００は、ノズルをさらに備える点が実施形態１に係る空気清浄機１００と異なるため、他の構成については説明を繰り返さない。
【００６９】
(実施形態３)
図１０は、本発明の実施形態３に係る空気清浄機を前方側から見た外観を示す斜視図である。図１０に示すように、本発明の実施形態３に係る空気清浄機３００は、吹出し部１１４から吹出される空気の風向を調整するノズル３７０をさらに備える。ノズル３７０はケース１１０に着脱自在に設けられている。
【００７０】
ノズル３７０は、ケース１１０の吹出し口１１９と接続される流入口３７１、および、流入口３７１とは反対側に位置する流出口３７２を有する。流出口３７２は、空気清浄機３００の正面側を向くように設けられている。
【００７１】
ノズル３７０をケース１１０に取り付けることにより、吹出し部１１４から吹出された空気の風向を、空気清浄機３００の正面からＺ方向に向くように調整することができる。これにより、浄化された空気を室内の中央へ向けて吹出すことが可能となる。
【００７２】
なお、ノズル３７０の形状は、上記に限られず、たとえば、フレキシブルな蛇腹形状を有していてもよい。この場合、吹出し部１１４から吹出された空気の風向を任意の方向に調整することができる。
【００７３】
空気清浄機３００は、ケース１１０の内部に配置された、イオン発生ユニットをさらに有していてもよい。この場合、吹出し部１１４から吹出された空気にはイオンが含まれる。ノズル３７０の流出口３７２から室内の中央へ向けてイオンを含む空気を吹出した場合、効果的に室内のイオン濃度を高めることができる。
【００７４】
以下、本発明の実施形態４に係る空気清浄機４００について説明する。本発明の実施形態４に係る空気清浄機４００は、ケースの一部が透明である点が実施形態１に係る空気清浄機１００と異なるため、他の構成については説明を繰り返さない。
【００７５】
(実施形態４)
図１１は、本発明の実施形態４に係る空気清浄機を前方側から見た外観を示す斜視図である。図１１に示すように、本発明の実施形態４に係る空気清浄機４００は、ケース４１０のフロントカバー４１２の一部が透明な部材４１２ａで構成されている。これにより、ケース４１０の内部に位置するファン１２０を、ケース４１０の外側から視認することができる。その結果、ケース４１０の内部の汚れ具合などを容易に確認することができる。
【００７６】
本発明の実施形態４に係る空気清浄機４００においては、フロントカバー４１２の正面の左下側の部分が透明な部材４１２ａにて構成されているが、透明な部材４１２ａにて構成される部分の位置および範囲はこれに限られず、たとえば、フロントカバー４１２の正面の上側半分が透明な部材４１２ａにて構成されていてもよい。この場合、使用者が上方よりケース４１０の内部を容易に視認することができる。ケース４１０の少なくとも一部が、透明な部材で構成されていればよい。
【００７７】
以下、本発明の実施形態５に係る空気清浄機５００について説明する。本発明の実施形態５に係る空気清浄機５００は、モータがアウターロータである点が主に実施形態１に係る空気清浄機１００と異なるため、他の構成については説明を繰り返さない。
【００７８】
(実施形態５)
図１２は、本発明の実施形態５に係る空気清浄機の断面図である。図１３は、本発明の実施形態５に係る空気清浄機の背面図であり、図１２の矢印ＸＩＩＩ方向から見た図である。
【００７９】
図１２，１３に示すように、本発明の実施形態５に係る空気清浄機５００においては、ケース本体５１１が隔壁５１６を有している。隔壁５１６は、吸込み部１１３と中空部１１５とを連通させる開口部１１７、および、モータ５３０が取り付けられた被取付部５１８を有する。
【００８０】
被取付部５１８は、ファン５２０の回転軸側からファン５２０の外周部と対向する位置に達するように延在している。本実施形態に係る空気清浄機５００においては、被取付部５１８が、ファン５２０の外周部と対向する位置から、この外周部とは反対側の外周部と対向する位置に達するように延在している。
【００８１】
すなわち、被取付部５１８は、ファン５２０の回転軸と直交する直線に沿って、ファン５２０の一端から他端に亘る部分を覆うように延在している。このように、隔壁５１６において、被取付部５１８を挟んで両側に開口部１１７が設けられている。ただし、被取付部５１８の延在範囲は上記に限られず、ファン５２０の回転軸側からファン５２０の一端に亘る部分を少なくとも覆うように延在していればよい。
【００８２】
被取付部５１８において、モータ５３０が固定される固定部は、突出しておらず平らである。被取付部５１８において、固定部の外側にてファン５２０と対向している部分は、ケース５１０の背面側に僅かに突出して厚くなっている。固定部には、モータ５３０を図示しないボルトにて締結するための貫通孔５１８ｂが複数設けられている。
【００８３】
ファン５２０は、中空部１１５の内部に配置されている。本実施形態に係る空気清浄機５００においては、ファン５２０は、多翼遠心送風機(シロッコファン)であり、モータ５３０の外周部に固定されている。
【００８４】
ファン５２０は、円板部５２１と、円板部５２１の外周部から突出するように設けられた多翼部５２２とを有する。円板部５２１には、モータ５３０の外周部と係合する貫通孔５２３が設けられている。円板部５２１には、ファン５２０の奥行方向に貫通した騒音低下を目的とする貫通孔１２４が、貫通孔５２３を中心とした円弧上に複数設けられている。
【００８５】
モータ５３０は、ケース５１０に取り付けられている。本実施形態に係る空気清浄機５００においては、モータ５３０は、アウターロータであり、モータ５３０の外周部が回転する。モータ５３０には、フランジが設けられている。フランジには、固定部の複数の貫通孔５１８ｂに対応する位置に、複数の貫通孔５３１ａが設けられている。対応する貫通孔５３１ａおよび貫通孔５１８ｂに挿入された図示しないボルトとナットとが締結されることにより、モータ５３０が固定部に固定される。
【００８６】
本実施形態に係る空気清浄機５００においては、モータ５３０の外周の外側にファン５２０が位置しているため、ケース５１０は、モータ５３０およびフィルタ１４０を収容可能な奥行の寸法を有していればよく、外形を薄くすることが可能である。ひいては、空気清浄機５００を薄型にすることができる。
【００８７】
本実施形態に係る空気清浄機５００においては、ファン５２０の回転軸方向の奥行の寸法は、回転軸方向におけるモータ５３０の奥行の寸法より小さい。これにより、空気清浄機５００を薄型にしてデザイン性を向上できる。
【００８８】
本実施形態に係る空気清浄機５００においても、被取付部５１８により、ファン５２０と対向する位置にて、モータ５３０の回転軸方向に風が通らない空間を作ることができる。この空間に、モータ５３０以外の他の部品を配置することにより、ケース５１０内における部品の収納スペースを削減して、ケース５１０の外形を小さくすることができる。ひいては、空気清浄機５００を小型にすることができる。
【００８９】
本実施形態に係る空気清浄機５００においては、被取付部５１８において、モータ５３０が固定されている部分の裏側の部分に、他の部品を配置することができるため、ケース５１０内における部品の収納スペースをより削減できる。
【００９０】
また、被取付部５１８が、ファン５２０の回転軸側からファン５２０の外周部と対向する位置に達するように延在していることにより、ケース本体５１１における被取付部５１８の剛性を増すことができる。その結果、モータ５３０の取り付けの安定性を確保することができるとともに、モータ５３０が発する振動がケース本体５１１を伝播しにくくすることができる。これにより、空気清浄機５００の静音性を向上することができる。
【００９１】
本実施形態に係る空気清浄機５００のように、被取付部５１８が、ファン５２０の外周部と対向する位置から、この外周部とは反対側の外周部と対向する位置に達するように延在している場合、ケース本体５１１における被取付部５１８の剛性をさらに増すことができる。よって、モータ５３０の取り付けの安定性、および、空気清浄機５００の静音性をさらに向上することができる。
【００９２】
なお、上記の実施形態１から実施形態５の各々の構成において、組み合わせ可能な構成を適宜選択して組み合わせてもよい。
【００９３】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１００，２００，３００，４００，５００  空気清浄機、１１０，４１０，５１０  ケース、１１１，５１１  ケース本体、１１１ｓ，１１１ｔ  リブ、１１１ｓｄ  段部、１１２，４１２  フロントカバー、１１３  吸込み部、１１４  吹出し部、１１５  中空部、１１６，２１６，５１６  隔壁、１１７  開口部、１１８，２１８，５１８  被取付部、１１８ａ，１１８ｂ，１２３，１２４，１３１ａ，５１８ｂ，５２３，５３１ａ  貫通孔、１１８ｃ  固定部、１１９  吹出し口、１２０，５２０  ファン、１２１，５２１  円板部、１２２，５２２  多翼部、１３０，５３０  モータ、１３１  モータ本体部、１３２  回転軸部、１４０  フィルタ、１５０  ボルト、２６０  制御部、３７０  ノズル、３７１  流入口、３７２  流出口、４１２ａ  透明な部材。
【図１】
0006425580.tif 000002
【図２】
0006425580.tif 000003
【図３】
0006425580.tif 000004
【図４】
0006425580.tif 000005
【図５】
0006425580.tif 000006
【図６】
0006425580.tif 000007
【図７】
0006425580.tif 000008
【図８】
0006425580.tif 000009
【図９】
0006425580.tif 000010
【図１０】
0006425580.tif 000011
【図１１】
0006425580.tif 000012
【図１２】
0006425580.tif 000013
【図１３】
0006425580.tif 000014